(57)【要約】  【課題】靴内の吸湿を行うことができて高さ調整も行えることは当然として、その高さ調整作業が簡単に行えるようにすることができ、できれば、靴の内側が減る足癖等の矯正をも行える靴の中敷を提供すること。  【解決手段】主中敷１１と、この上に順に重ねて取付けられる副中敷１２〜１２と、これらの副中敷１２〜１２の内の最上となるものに取付けられる最小中敷１３とにより構成し、主中敷１１と副中敷１２、及び副中敷１２〜１２同士の取付けは、それぞれの上面側に各中敷１１または１２の厚さの半分程度の深さに形成した固定穴１４と、この固定穴１４内に固定されて各中敷１１または１２の厚さの半分程度の高さで突出する複数の固定体１５と、これらの固定体１５の突出部分が係止されるべく各中敷１１〜１３の裏面に形成した複数の係合穴１６とにより行うようにしたこと。【選択図】図１
2005160859.tif 000002
【特許請求の範囲】
【請求項１】
靴の内底上に敷かれることになる主中敷と、この主中敷の踵部分上に順に重ねて取付けられて、順次短くした少なくとも１つの副中敷と、これらの副中敷の内の最上となるものに取付けられる最小中敷とにより構成した靴の中敷であって、
前記主中敷と副中敷、及び副中敷同士の取付けは、それぞれの上面側に各中敷の厚さの半分程度の深さに形成した固定穴と、この固定穴内に固定されて前記各中敷の厚さの半分程度の高さで突出する複数の固定体と、これらの固定体の突出部分が係止されるべく前記各中敷の裏面に形成した複数の係合穴とにより行うようにしたことを特徴とする靴の中敷。
【請求項２】
前記副中敷と最小中敷との先端に傾斜面を形成して、人の足裏に異和感を与えない程度に段差を解消するようにしたことを特徴とする請求項１に記載の靴の中敷。
【請求項３】
前記最小中敷として、前記靴の前後方向の中心線に対して、左右の厚さが段階的に異なるものを採用し、かつ前記各固定体が係止される前記係合穴を表裏に貫通するものとしたことを特徴とする請求項１又は請求項２に記載の靴の中敷。
【発明の詳細な説明】
【技術分野】
【０００１】
本発明は、靴の中敷に関し、特に、高さ調整を行えるようにした靴の中敷に関するものである。
【背景技術】
【０００２】
靴の中敷としては種々の目的で種々なものが開発されてきているが、最もよく利用されているものは、靴内の湿気や臭いをとるための中敷である。
【０００３】
これに対して、中敷そのものが厚さを有していることに着目して、湿気取り等の目的達成の他に、身長を高くすることも目的としたものも、例えば特許文献１あるいは特許文献２において提案されてきている。
【特許文献１】特開２００３−１６４３０３号公報、要約
【特許文献２】特開平０８−０７０９１０号公報、要約
【発明の開示】
【発明が解決しようとする課題】
【０００４】
特許文献１に記載された発明は、「数枚に分割した中敷を重ねて靴の中に入れることで、必要に応じて中敷の厚さを調整することができると共に、１足の靴で数段階の高さに身長を高く見せる」ことを目的として、図５にも示すように、「胛被６と靴底７とから成る靴８の中に敷く中敷であって、土踏まず部分１ａから踵部分１ｂの後端に向かって厚みを次第に増加させて形成し、かつその下面に係合構造を有する主中敷１と、主中敷１の踵部部ｂに重ねることができ、主中敷１の係合構造に係合する係合構造を上面に有すると共に、所定の厚さに形成した副中敷２と、を備えた」ものとしたものである。
【０００５】
この特許文献１の中敷は、その厚さ調整を行うことができるため、数段階の高さに身長を高く見せることができると考えられるが、主中敷１が一番上、つまり足裏に直接当該する位置に配置されるものであるため、高さ調整を行うとすると、一番上のしかも一番大きい主中敷１を靴から取り出さなければならず、調整作業が面倒なものとなっていると考えられる。
【０００６】
また、この特許文献１の発明は靴の内側が減る足癖や靴の外側が減る足癖の矯正については何等考慮していないため、この靴の内側が減る足癖等の矯正を行うことはできない。
【０００７】
この靴の内側が減る足癖等の矯正に関しては、特許文献２にその記載が見られる。すなわち、この特許文献２の発明は、図６にも示すように、「使用することにより、自然に背骨の湾曲や靴の外側が減る足癖や靴の内側が減る足癖の矯正に役立つ履物用中敷及び履物を提供する」ことを目的として、「靴やサンダルの本底１の上面２を一方の側縁から他方の側縁方向に傾斜させる。下駄の場合には、台部または歯を傾斜させる。靴等の本底１や下駄の台部および歯を傾斜させずに、本底１や台部の上面に傾斜した上底板を固定して、履物の上面を傾斜させてもよい。普通の履物に、一方の側縁から他方の側縁方向に傾斜させた中敷を用いてもよい」とするものである。
【０００８】
しかしながら、この特許文献２の中敷では、これによって高さ調整を行うことができないものであり、かつ靴の内側が減る足癖等の程度による調整も行えないものとなっている。
【０００９】
以上のことをまとめてみると、この種の靴の中敷については、次の点を同時に解決するものであることが望まれているのである。
（１）高さ調整が自在に行えること。
（２）その調整作業は、一番大きな主中敷を取り出さなくても行えるようにして、簡単であること。
（３）上記（２）の調整作業は、靴の内側が減る足癖や靴の外側が減る足癖の矯正を行えるよう調整も同時に行えるようにできること。
【００１０】
本発明は、この種の靴の中敷における上記実状に鑑みてなされてもので、その解決しようとする課題は、この種の中敷について、一般的な吸湿作用を発揮する他、上記（１）〜（３）の要望をも同時に満たすことができるようにすることである。
【００１１】
すなわち、本発明の目的とするところは、靴内の吸湿を行うことができて高さ調整も行えることは当然として、その高さ調整作業が簡単に行えるようにすることができ、できれば、靴の内側が減る足癖等の矯正をも行える靴の中敷を提供することにある。
【課題を解決するための手段】
【００１２】
以上の課題を解決するために、まず、請求項１に係る発明の採った手段は、後述する最良の形態の説明中において使用する符号を付して説明すると、
「靴の内底上に敷かれることになる主中敷１１と、この主中敷１１の踵部分上に順に重ねて取付けられて、順次短くした少なくとも１つの副中敷１２〜１２と、これらの副中敷１２〜１２の内の最上となるものに取付けられる最小中敷１３とにより構成した靴の中敷１０であって、
主中敷１１と副中敷１２、及び副中敷１２〜１２同士の取付けは、それぞれの上面側に各中敷１１または１２の厚さの半分程度の深さに形成した固定穴１４と、この固定穴１４内に固定されて各中敷１１または１２の厚さの半分程度の高さで突出する複数の固定体１５と、これらの固定体１５の突出部分が係止されるべく各中敷１１〜１３の裏面に形成した複数の係合穴１６とにより行うようにしたことを特徴とする靴の中敷１０」
である。
【００１３】
すなわち、この請求項１に係る中敷１０は、靴の内底面と略同じ大きさを有する１つの主中敷１１と、これにより順に小さくなる少なくとも１つの副中敷１２と、１つの最小中敷１３とからなるものであり、少なくとも主中敷１１と最小中敷１３とを組み合せ、必要に応じて１つ以上の副中敷１２を組み合わせて使用するものである。特に、この請求項１の中敷１０では、その組み合せを行うにあたっては、主中敷１１が靴の内底面上に位置するようにするものである。
【００１４】
その理由は、所謂ベースとなる主中敷１１を一番下側に入れておいたまま、当該中敷１０全体の高さ調整を行いたいからである。具体的に説明すると、主中敷１１は最初に靴の中に入れておいて、その上に、必要な副中敷１２及び最小中敷１３を積み重ねるようにして調整するのであり、背景技術に述べた特許文献１の場合のような、調整しようとする度に大きな主中敷１１を取り出さなくてもよいようにするためである。
【００１５】
高さ調整といっても、欲しい高さに組み合わせたものを靴の中に入れただけでは行えないのであり、使用する靴の状態や当該中敷１０を入れたときの履き心地等も試しながら行わなければならないものであって、その調整作業は通常最も適した状態となるまで繰り返されるのである。そこで、もし、大きな、つまり靴の内底と略同じ大きさの主中敷１１を作業毎に靴内へ入れたり出したりしなければならないのであれば、主中敷１１が何度も靴につかえて大変だからである。その点、本発明の中敷１０は、その主中敷１１を靴内へ入れたままの状態で調整作業が行えるのであるから、調整作業がし易くなっているのである。
【００１６】
また、この高さ調整を行う理由としては、特許文献１にみられるように、慎重が高くなったようにみせたいことの他に、脚の長さが左右によって異なる人（腰骨がズレて腰痛を起こしている人にこの現象がみられる）が、その脚の長短を矯正したり、腰痛が酷くならないようにしたい場合がある。このような場合にも、左右の中敷１０において、副中敷１２の数の調整を行えば、「腰痛」の和らげともなるのである。
【００１７】
ところで、以上の調整作業を行うにあたっては、主中敷１１に対して必要な副中敷１２、この副中敷１２又は主中敷１１に対する最小中敷１３の取付け及び取り外しを繰り返さなければならないが、例えばその固定作業については、図３にも示すように、主中敷１１や副中敷１２の各固定穴１４に固定してある固定体１５を、これに対向してくる副中敷１２や最小中敷１３の各係合穴１６内に係合させることにより行えばよいのである。このとき、各副中敷１２や最小中敷１３は、主中敷１１の後端部分（踵部分）に重なるように形成してあるから、それぞれの後端と側面を揃えるだけで係合穴１６が見えなくてもそれぞれの位置決めが簡単に行えるのである。勿論、取り外し作業は、副中敷１２や最小中敷１３を取り出すだけでよい。
【００１８】
勿論、この中敷１０は、これを構成している主中敷１１、副中敷１２，及び最小中敷１３を、吸湿性や吸臭性を有する材料によって形成するようにすれば、中敷として一般に要求されている機能は十分発揮させるものとすることができる。後述する最良形態に係る中敷１０では、図２にも示すように、主中敷１１を表部１１ａと裏部１１ｂとの二重のものにして、その内の裏部１１ｂ（靴の内底に直接接触する部分）に、吸湿性や吸臭性を付与するようにしているのである。
【００１９】
従って、この請求項１に係る中敷１０では、副中敷１２の使用数を適宜調整するだけで、全体の高さ、つまり使用者の身長の調整が行えるだけでなく、その調整作業を主中敷１１を靴内に入れたまま行えるため容易に行えるものとなっているのである。
【００２０】
上記課題を解決するために、請求項２に係る発明の採った手段は、上記請求項１に記載の中敷１０について、
「副中敷１２と最小中敷１３との先端に傾斜面１２ａ・１３ａを形成して、人の足裏に異和感を与えない程度に段差を解消するようにしたこと」
である。
【００２１】
すなわち、この請求項２の中敷１０では、図１及び図２に示すように、各副中敷１２及び最小中敷１３の先端に、傾斜面１２ａ及び傾斜面１３ａをそれぞれ形成したものであるから、これらを中敷１０として組み合わせたとき、図３にも示すように、人の踵からつま先に到るまでの部分の傾斜を和らげるのであり、使用者に異和感を感じさせないのである。
【００２２】
従って、この請求項２に係る中敷１０は、上記請求項１のそれと同様な機能を発揮する他、使用者に異和感を感じさせないものとなっているのである。
【００２３】
上記課題を解決するために、請求項３に係る発明の採った手段は、上記請求項１または請求項２に係る中敷１０について、
「最小中敷１３として、前記靴の前後方向の中心線に対して、左右の厚さが段階的に異なるものを採用し、かつ各固定体１５が係止される係合穴１６を表裏に貫通するものとしたこと」
である。
【００２４】
すなわち、この請求項３に係る中敷１０は、主として背景技術の項で述べた（３）を達成しようとするものであり、図１中の図示右側に示した最小中敷１３を採用するようにしたものである。
【００２５】
図１の左側に示した最小中敷１３では、固定体１５が係合することになる係合穴１６は、最小中敷１３の厚さの半分程度の深さに形成したものであったのであるが、この請求項３の中敷１０が採用している最小中敷１３では、図１の図示右側に示したように、上下に完全に貫通する貫通穴１６ａを形成したものである。
【００２６】
また、この最小中敷１３は、図４に示したように、その前方向の中心線に対して左右で厚さが段階的に変化するようにしたものである。この図４には、最小中敷１３の背面が示してあるのであるが、靴の内側が減る足癖の人がその矯正を行いたい場合には、図４の（イ）に示した状態の最小中敷１３を右の靴内に、また図４の（ロ）に示した状態の最小中敷１３を左の靴内に入れるのであり、靴の外側が減る足癖の人の場合にはこれと逆にするのである。
【００２７】
勿論、図４の（イ）に示した最小中敷１３と、図４の（ロ）に示した最小中敷１３とは全く同じ形状のものであり、その左右（表裏）を逆にするだけで図４の（イ）に示したものが（ロ）に示したものになるのである。このような使用が１種類の最小中敷１３でできるようにするために、前述した固定体１５が係合するための穴を貫通穴１６ａとしたのである。つまり、貫通穴１６ａを形成したことによって、最小中敷１３の副中敷１２または主中敷１１に対する係合を、上下ひっくり返しても行えるのである。
【００２８】
従って、この請求項３の中敷１０は、前述した請求項１または請求項２のそれと同様な機能を発揮する他、靴の内側が減る足癖や靴の外側が減る足癖の矯正をも行えるものとなっているのである。
【発明の効果】
【００２９】
以上、詳述した通り、本発明においては、
「靴の内底上に敷かれることになる主中敷１１と、この主中敷１１の踵部分上に順に重ねて取付けられて、順次短くした少なくとも１つの副中敷１２〜１２と、これらの副中敷１２〜１２の内の最上となるものに取付けられる最小中敷１３とにより構成した靴の中敷１０であって、
主中敷１１と副中敷１２、及び副中敷１２〜１２同士の取付けは、それぞれの上面側に各中敷１１または１２の厚さの半分程度の深さに形成した固定穴１４と、この固定穴１４内に固定されて各中敷１１または１２の厚さの半分程度の高さで突出する複数の固定体１５と、これらの固定体１５の突出部分が係止されるべく各中敷１１〜１３の裏面に形成した複数の係合穴１６とにより行うようにしたこと」
にその主たる構成上の特徴があり、これにより、靴内の吸湿を行うことができて高さ調整も行えることは当然として、その高さ調整作業が簡単に行えるようにすることができる靴の中敷１０を提供することができるのである。
【００３０】
特に、請求項３の中敷１０においては、上記構成の他に、
「最小中敷１３として、前記靴の前後方向の中心線に対して、左右の厚さが段階的に異なるものを採用し、かつ各固定体１５が係止される係合穴１６を表裏に貫通するものとしたこと」
にその特徴があり、これにより、上述した効果を発揮することができることは勿論、靴の内側が減る足癖等の矯正をも行える靴の中敷１０を提供することができるのである。
【発明を実施するための最良の形態】
【００３１】
次に、以上のように構成した各請求項に係る発明を、図面に示した最良形態である中敷１０について説明すると、図１には、上記各発明の全てを含む中敷１０の斜視図が示してある。
【００３２】
この中敷１０は、図１に示したように、靴の内底上に敷かれることになる主中敷１１と、この主中敷１１の踵部分上に順に重ねて取付けられて、順次短くした少なくとも１つの副中敷１２〜１２と、これらの副中敷１２〜１２の内の最上となるものに取付けられる最小中敷１３とにより構成して、主中敷１１と副中敷１２、及び副中敷１２〜１２同士の取付けは、それぞれの上面側に各中敷１１または１２の厚さの半分程度の深さに形成した固定穴１４と、この固定穴１４内に固定されて各中敷１１または１２の厚さの半分程度の高さで突出する複数の固定体１５と、これらの固定体１５の突出部分が係止されるべく各中敷１１〜１３の裏面に形成した複数の係合穴１６とにより行うようにしたものである。なお、この図１中の図示左側の最小中敷１３は請求項１及び２に係るものであり、図１中の図示右側の最小中敷１３は請求項３に係るものである。
【００３３】
靴の中の一番下側に配置されることになる主中敷１１は、図２にも示したように、表部１１ａと裏部１１ｂとの二重構造にするとともに、裏部１１ｂにクッション性や吸湿性、さらには吸臭性をも付与するようにしたものである。この裏部１１ｂの材料としては、ある程度のクッション性を有するものとするために、合成繊維からなる不織布や網状物が適しており、これに吸湿性や吸臭性をもたせたものである。
【００３４】
この主中敷１１を構成している表部１１ａや、後述する副中敷１２、さらに最小中敷１３を構成する材料は、低発泡率で発泡させたポリプロピレンが適している。その理由は、中敷１０全体としてのクッション性を付与しながら、後述する各固定穴１４及び係合穴１６、または貫通穴１６ａの形成や、固定体１５を係合させるための係合穴１６にある程度の剛性を付与する必要があるからである。また、これらの主中敷１１、副中敷１２及び最小中敷１３の厚さとしては、それぞれが２〜３ｍｍ程度であることが好ましいが、高さ調整を主眼とするのであれば、もっと厚く形成してもよい。
【００３５】
主中敷１１上には、副中敷１２または最小中敷１３が取り付けるのであるから、その表部１１ａの表面に固定穴１４が形成してあり、この固定穴１４内に、各固定体１５がその高さの半分程度入り込む状態で固定してある。各固定体１５は、合成樹脂や合成ゴムによって、ある程度の変形性とクッション性を有するものに形成したものである。変形性は、副中敷１２または最小中敷１３側の係合穴１６への係合を容易にするための性質であり、クッション性は当該中敷１０の使用心地を良好にするための性質である。
【００３６】
副中敷１２は、順次小さくなる複数のものが用意されるが、小さくなるとは、図１及び図２に示したように、踵にあたる部分や幅は変わらないが、靴の前後方向の長さが段々に短くなることをいう。この副中敷１２は、これを全く使用しないか、あるいは使用枚数を変えることによって、中敷１０全体としての高さを調整するものである。
【００３７】
また、各副中敷１２の先端には、図１及び図２に示したように、傾斜面１２ａが形成してある。これら各副中敷１２の傾斜面１２ａは、副中敷１２が何枚使用されても、中敷１０の表面側に大きな段差を形成しないようにするものであり、使用者に異和感を与えないようにするためのものである。
【００３８】
そして、各副中敷１２は、図３に示したように、互い同志あるいは主中敷１１や最小中敷１３に対する取り付けを行うための固定体１５を上面側に有しているものであり、主中敷１１や下側になる副中敷１２の固定体１５が係合されることになる係合穴１６をその上面側に形成したものである。
【００３９】
最小中敷１３は、図１の左側に示した第１のタイプと、図１の右側及び図４に示した第２のタイプのものがあるが、その材質や形状は前述した各副中敷１２に準ずるものであり、先端に傾斜面１３ａを形成したものである。
【００４０】
図１の左側に示した第１タイプの最小中敷１３は、請求項１または２の中敷１０を構成する場合に使用するものであり、係合穴１６は、図１に示したように、貫通していないものである。そして、この第１タイプの最小中敷１３は、靴の内側が減る足癖や靴の外側が減る足癖ではない普通の体型の人を対象とするものであり、厚さが均等となるようにした一枚板である。
【００４１】
これに対して、図４等に示した第２タイプの最小中敷１３は、靴の前後方向の中心線に対して順に傾斜するように形成するとともに、各固定体１５が係合されることになる穴は、図１の右側に示したように貫通穴１６ａとしてあるものである。
【００４２】
つまり、この第２タイプの最小中敷１３は、靴の内側が減る足癖や靴の外側が減る足癖の人の矯正を行う場合に使用するものであり、図４の（イ）及び（ロ）に示したように、必要な矯正に応じて上下ひっくり返して使用するものである。この最小中敷１３は、上下ひっくり返しても、貫通穴１６ａは正常に固定体１５に対して開口するから、貫通穴１６ａと固定体１５との係合は十分行えるのである。
【図面の簡単な説明】
【００４３】
【図１】本発明に係る中敷の分解斜視図である。
【図２】同中敷の側面図である。
【図３】固定穴内に取付けた固定体と、これが係合されることになる係合穴との関係を示す、二枚の副中敷の断面図である。
【図４】請求項３に係る中敷において使用される最小中敷を示すもので、（イ）は右上りの背面図、（ロ）は左上りの背面図である。
【図５】従来技術を示す側面図である。
【図６】別の従来技術を示す断面図である。
【符号の説明】
【００４４】
１０    中敷
１１    主中敷
１１ａ  表部
１１ｂ  裏部
１２    副中敷
１２ａ  傾斜面
１３    最小中敷
１３ａ  傾斜面
１４    固定穴
１５    固定体
１６    係合穴
１６ａ  貫通穴
【図１】
2005160859.tif 000003
【図２】
2005160859.tif 000004
【図３】
2005160859.tif 000005
【図４】
2005160859.tif 000006
【図５】
2005160859.tif 000007
【図６】
2005160859.tif 000008